(57)【特許請求の範囲】
【請求項１】
ピンチハンガーを吊り下げるためのピンチハンガー用連結具であって、複数のハンガー固定手段と、吊り下げ手段とからなり、
ハンガー固定手段はピンチハンガーの枠に取り付けるものであって、固定手段本体と、ピンチハンガーの枠を固定するための固定部と、吊り下げ手段の連結部に対してハンガー固定手段を移動調整できるように構成した結合部とからなり、
吊り下げ手段は、物干しざお等に吊り下げるための吊り下げ部と、吊り下げ部に連結された複数の連結部とからなり、
各ハンガー固定手段がその結合部を介して吊り下げ手段のそれぞれの連結部に取り付けられ、ハンガー固定手段が連結部を移動調整できるようにしたことを特徴とするピンチハンガー用連結具。
【請求項２】
吊り下げ手段のそれぞれの連結部には複数のハンガー固定手段が複数段に取付けられていることを特徴とする請求項１に記載のピンチハンガー用連結具。
【請求項３】
ピンチハンガーを上下に連結するためのピンチハンガー用連結具であって、複数のハンガー固定手段と、複数の連結手段と、吊り下げ手段とからなり、
ハンガー固定手段はピンチハンガーの枠に取り付けるものであって、固定手段本体と、ピンチハンガーの枠を固定するための固定部と、連結手段を連結するための結合部と、連結手段又は吊り下げ手段の連結部を取り付けるための連結部穴からなり、
連結手段は、ハンガー固定手段の連結部穴に取り付けるものであって、連結部と、連結部の一端に設けられた留め具からなり、連結部上には複数の留め具受けを設け、
吊り下げ手段は、物干しざお等に吊り下げるための吊り下げ部と、吊り下げ部に連結された複数の連結部とからなり、
吊り下げ手段のそれぞれの連結部には各ハンガー固定手段がその連結部穴を介して取り付けられ、
吊り下げ手段に取り付けられたハンガー固定手段の結合部を介して連結手段が連結され、連結手段の連結部の留め具を留める留め具受けの位置を変更することにより連結手段の連結部の長さを調節できるようにしたことを特徴とするピンチハンガー用連結具。
【請求項４】
折畳みピンチハンガーを連結する場合には、ハンガー固定手段の固定部は２つ設け、左右のハンガー枠をそれぞれ固定することができるよう構成されていることを特徴とする請求項１、請求項２、請求項３のいずれかに記載のピンチハンガー用連結具。
【請求項５】
折畳み式ではない円形ピンチハンガーを連結する場合には、ハンガー固定手段は少なくとも３つ設け、１つの円形ピンチハンガーの枠を３ヶ所で固定することを特徴とする請求項１、請求項２、請求項３のいずれかに記載のピンチハンガー用連結具。
【請求項６】
吊り下げ手段の吊り下げ部に連結された複数の連結部に同じ高さの位置に取り付ける各ハンガー固定手段は、ハンガー固定手段に連結フレームを垂直に設け、ハンガー固定手段の連結フレーム同士をピンチハンガー枠の幅に調節して連結できるように構成し、
吊り下げ手段のそれぞれの連結部に同じ高さの位置に取り付けた各ハンガー固定手段をピンチハンガー枠に取り付け、そのハンガー固定手段の連結フレーム同士を連結したことを特徴とする請求項１、請求項２、請求項３のいずれかに記載のピンチハンガー用連結具。
【請求項７】
吊り下げ手段は吊り下げ部と、連結部からなり、
吊り下げ部には、吊り下げ部に連結部を連結するために連結部受けが設けられ、
連結部は、連結部本体と、連結部本体の一端に設けられた留め具からなり、連結部本体上には複数の留め具受けを設け、
連結部受けに通された連結部の留め具を留める留め具受けの位置を変更することにより連結部の長さが調節できることを特徴とする請求項１、請求項２、請求項３のいずれかに記載のピンチハンガー用連結具。
【発明の詳細な説明】
【技術分野】
【０００１】
本発明はピンチハンガーを上下に連結するためのピンチハンガー用連結具に関するものである。
【背景技術】
【０００２】
合宿所、民宿、ペンション、ホテルなどでの合宿における洗濯物干しは、一度に多数の人が洗濯をするため、洗濯物干しをする広い場所や多数の道具が必要になる。また、ほとんどの合宿で必ず洗濯される物の中には靴下、下着などがありピンチハンガーは必需品である。しかし、様々な人が使用するのでピンチハンガーの吊り下げるフックが壊れやすい。また、近年は中国製が多く、特に壊れやすくなっている。
【０００３】
フックが壊れたピンチハンガーは使い道がなく廃棄するか、使用して間がない壊れたピンチハンガーは無駄にしたくないので、ピンチハンガーのフックを針金等で作り直したり、補強したりして使用している。しかし、場所が限定されていて、干すことのできる洗濯物が限られている問題は解決していない。
【０００４】
場所が足りない問題についてはいくつかのアイデアが考案されている。考案されているアイデアは上下にピンチハンガーを連結する構成である。複数の同形状のピンチハンガー枠の左右に吊り下げフックを配して、フックの真下から伸びる紐状の物に同形状のピンチハンガー枠の左右に配した吊り下げフックを連結し２階構造、３階構造になる構造の物。また、別のアイデアは既存のピンチハンガーのフックを紐状の物に連結して吊り下げる構造の連結具などが考案されている。
【先行技術文献】
【特許文献】
【０００５】
【特許文献１】特開２００９−１３１４６８
【特許文献２】実登３０１５５６４
【特許文献３】実登３１５１２４７
【発明の概要】
【発明が解決しようとする課題】
【０００６】
これらは場所が限定されている問題は解決しているが、構成的に一体的なものや、同形状のピンチハンガーフレームを連結する、初めから２階構造のものでしかない。このような構造のものでは規格の違う壊れたピンチハンガーを再利用することができない。
【０００７】
実登３１５１２４７には１本の紐状で構成されたものが記載されている。１本の紐状の構成ではフックが壊れた折畳み式ピンチハンガーには使用できない。
【課題を解決するための手段】
【０００８】  そこで、このような課題を解決するために本発明のピンチハンガー用連結具は、ピンチハンガーを吊り下げるためのピンチハンガー用連結具であって、複数のハンガー固定手段と、吊り下げ手段とからなり、ハンガー固定手段はピンチハンガーの枠に取り付けるものであって、固定手段本体と、ピンチハンガーの枠を固定するための固定部と、吊り下げ手段の連結部に対してハンガー固定手段を移動調整できるように構成した結合部とからなり、吊り下げ手段は、物干しざお等に吊り下げるための吊り下げ部と、吊り下げ部に連結された複数の連結部とからなり、各ハンガー固定手段がその結合部を介して吊り下げ手段のそれぞれの連結部に取り付けられ、ハンガー固定手段が連結部を移動調整できるようにしたことを特徴とする。【０００９】吊り下げ手段のそれぞれの連結部には複数のハンガー固定手段が複数段に取付けられていることを特徴とする。【００１０】  ピンチハンガーを上下に連結するためのピンチハンガー用連結具であって、複数のハンガー固定手段と、複数の連結手段と、吊り下げ手段とからなり、ハンガー固定手段はピンチハンガーの枠に取り付けるものであって、固定手段本体と、ピンチハンガーの枠を固定するための固定部と、連結手段を連結するための結合部と、連結手段又は吊り下げ手段の連結部を取り付けるための連結部穴からなり、連結手段は、ハンガー固定手段の連結部穴に取り付けるものであって、連結部と、連結部の一端に設けられた留め具からなり、連結部上には複数の留め具受けを設け、吊り下げ手段は、物干しざお等に吊り下げるための吊り下げ部と、吊り下げ部に連結された複数の連結部とからなり、吊り下げ手段のそれぞれの連結部には各ハンガー固定手段がその連結部穴を介して取り付けられ、吊り下げ手段に取り付けられたハンガー固定手段の結合部を介して連結手段が連結され、連結手段の連結部の留め具を留める留め具受けの位置を変更することにより連結手段の連結部の長さを調節できるようにしたこと特徴とする。
【発明の効果】
【００１１】
ハンガー固定手段を増設、または、連結できる構成なので、ハンガー固定手段を複数増設、または、連結することで、ピンチハンガーを２階構造、３階構造、４階構造にすることができるので、狭い場所での場所の有効利用ができる。
【００１２】
ハンガー固定手段の構成を単純にすることで、既存の長方形の枠のピンチハンガー、折畳み式の枠のピンチハンガー、円形の枠のピンチハンガー、また、吊り下げ部の壊れた長方形の枠のピンチハンガー、吊り下げ部の壊れた折畳み式の枠のピンチハンガー、吊り下げ部の壊れた円形の枠のピンチハンガーなど、どのような形状の枠のピンチハンガーにも対応できる。
【００１３】
ハンガー固定手段を移動させることができるので、洗濯物の種類によってピンチハンガーの高さの調整できて、ピンチハンガーを有効に活用できる。
【００１４】
どのような形状のピンチハンガーでも簡単にピンチハンガー用連結具に固定することができる構成のハンガー固定手段と、上側ハンガー固定手段と下側ハンガー固定手段を連結する上下ハンガー連結手段の構成を単純にしたことで、操作が簡単で手間がかからない。
【００１５】
吊り下げ連結部の数を調節できるので、ハンガー固定手段の数も調節できて、既存の長方形の枠のピンチハンガー、折畳み式の枠のピンチハンガー、円形の枠のピンチハンガー、また、吊り下げ部の壊れた長方形の枠のピンチハンガー、吊り下げ部の壊れた折畳み式の枠のピンチハンガー、吊り下げ部の壊れた円形の枠のピンチハンガーなど、対応できるピンチハンガーの枠の形状が増える。
【図面の簡単な説明】
【００１６】
【図１】本発明のピンチハンガー用連結具の第一の実施例の図面。
【図２】第一の実施例、第四の実施例のピンチハンガー用連結具を表した図面。
【図３】第一の実施例、第四の実施例の吊り下げ手段を表した図面。
【図４】第一の実施例のハンガー固定手段の斜視図。
【図５】第一の実施例のハンガー固定手段の側面図。
【図６】第一の実施例の上下ハンガー連結手段及び吊り下げ手段の図面。
【図７】本発明のピンチハンガー用連結具の第二の実施例の図面。
【図８】第二の実施例のピンチハンガー用連結具を表した図面。
【図９】第二の実施例のピンチハンガー用連結具のハンガー固定手段の斜視図。
【図１０】第二の実施例の留め具及び留め具受けの図面。
【図１１】本発明のピンチハンガー用連結具の第三の実施例の図面。
【図１２】本発明のピンチハンガー用連結具の第四の実施例の図面。
【図１３】第四の実施例のピンチハンガー用連結具の一方のハンガー固定手段の図面。
【図１４】第四の実施例のピンチハンガー用連結具のもう一方のハンガー固定手段の図面。
【図１５】本発明のピンチハンガー用連結具の第五の実施例の図面。
【図１６】第五の実施例の吊り下げ手段の吊り下げ部の図面。
【図１７】第五の実施例の吊り下げ手段の連結部の図面。
【発明を実施するための形態】
【００１７】
本発明のピンチハンガー用連結具の第一の実施例について、図１から図９を用いて説明する。図１には本発明のピンチハンガー用連結具を使用した構成が図示されている。
【００１８】
図１に図示されているようにピンチハンガー用連結具１は連結部２ａ−１、連結部２ａ−２、吊り下げ部２ａ−５、留め具４で構成された吊り下げ連結部２ａと、連結部２ｂ−１、連結部２ｂ−２、吊り下げ部２ｂ−５、留め具４で構成された吊り下げ連結部２ｂと、上固定部３ａ、上固定部３ｂ、下固定部３ｃ、下固定部３ｄで構成されている。ピンチハンガー用連結具１は、連結部２ａ−１、連結部２ｂ−１に連結された上固定部３ａにはピンチハンガー枠Ａ１−２が取り付けられ、連結部２ａ−２、連結部２ｂ−２に連結された上固定部３ｂにはピンチハンガー枠Ａ１−１が取り付けられ、連結部２ａ−１、連結部２ｂ−１に連結された下固定部３ｃにはピンチハンガー枠Ａ２−２が取り付けられ、連結部２ａ−２、連結部２ｂ−２に連結された下固定部３ｄにはピンチハンガー枠２Ａ−１が取り付けられている。
【００１９】
図２に示した吊り下げ手段は、吊り下げ部を２つにして安定がよく強度のある吊り下げ方法にするために吊り下げ部２ａ−５の一端に連結部２ａ−１、連結部２ａ−２の一端が接続され、連結部２ａ−１、連結部２ａ−２のもう一方の一端に取り外しのできる留め具４を設け、吊り下げ部２ｂ−５の一端に連結部２ｂ−１、連結部２ｂ−２の一端が接続され、連結部２ｂ−１、連結部２ｂ−２のもう一方の一端に取り外しのできる留め具４を設け、連結部２ａ−１、連結部２ｂ−１に上固定部３ａ、下固定部３ｃが連結され、連結部２ａ−２、連結部２ｂ−２に上固定部３ｂ、下固定部３ｄが連結されている。図３には吊り下げ手段の異なる方法が比較しやすいように吊り下げ手段のみが示されている。Ｂは図２に図示した吊り下げ手段を示したものである。Ｃは連結部２ｃ−１、連結部２ｃ−２、連結部２ｃ−３、連結部２ｃ−４、吊り下げ部２ｃ−５、留め具４で構成されている。吊り下げ手段の吊り下げ部を１つにして限定された省スペースの吊り下げ場所に対応できるようにするために吊り下げ部２ｃ−５の一端に連結部２ｃ−１、連結部２ｃ−２、連結部２ｃ−３、連結部２ｃ−４の一端が接続され、連結部２ｃ−１、連結部２ｃ−２、連結部２ｃ−３、連結部２ｃ−４のもう一方の一端に取り外しのできる留め具４が設けられている。留め具４は万が一に図４に図示された固定手段３の結合部穴５から吊り下げ連結部２ａ、吊り下げ連結部２ｂ、吊り下げ連結部２ｃが抜けることを防止するものであり、有無、形状、構成は取り外しが容易にできて、固定手段３が吊り下げ連結部２ａ、吊り下げ連結部２ｂ、吊り下げ連結部２ｃから簡単に落下しない構成であればよく特に限定するものではない。
【００２０】
図４、図５、図６には固定手段３の構成が図示されている。連結部２ａ−１、連結部２ａ−２、連結部２ｂ−１、連結部２ｂ−２を固定手段３の表面に通すために固定手段３の中心より外側の上部それぞれと、連結部２ａ−１、連結部２ａ−２、連結部２ｂ−１、連結部２ｂ−２を固定手段３の裏面に通すために固定手段３の中心より外側の下部それぞれに結合部穴５が設けられている。表面片側の上部の結合部穴５と下部の結合部穴５の間と、もう一方の片側の上部の結合部穴５と下部の結合部穴５の間のそれぞれには連結部２ａ−１、連結部２ａ−２、連結部２ｂ−１、連結部２ｂ−１をずれないようにするためと、ピンチハンガーのハンガー枠Ａを安定して固定ができるように結合部溝６が設けられている。結合部溝６の深さは結合部溝６に連結部２ａ−１、連結部２ａ−２、連結部２ｂ−１、連結部２ｂ−２を固定した時に、連結部２ａ−１、連結部２ａ−２、連結部２ｂ−１、連結部２ｂ−２の一部が突出する深さに設けられている。ピンチハンガーのハンガー枠Ａと固定手段３の間に連結部２ａ−１、連結部２ａ−２、連結部２ｂ−１、連結部２ｂ−２が挟まれて固定手段３を固定する構成である。結合部穴５の形状は連結部２ａ−１、連結部２ａ−２、連結部２ｂ−１、連結部２ｂ−２を通すことができて、固定手段３が場合によっては連結部２ａ−１、連結部２ａ−２、連結部２ｂ−１、連結部２ｂ−２を容易に移動しない構成であればよく特に限定するものではない。また、結合部溝６の形状は連結部２ａ−１、連結部２ａ−２、連結部２ｂ−１、連結部２ｂ−２を安定させハンガー枠Ａの固定が容易にできる構成であればよく特に限定するものではない。固定手段３は様々なピンチハンガー枠の形状に対応するために固定手段３の中央部にヒンジ凹部９ａ、ヒンジ凸部９ｂ、ヒンジ留め９ｃで構成されたヒンジ部９を設け、ヒンジ凹部９ａとヒンジ凸部９ｂはヒンジ留め９ｃで結合されている。ヒンジ部９の形状は様々なピンチハンガー枠の形状に対応できればよく特に限定するものではない。そして、固定手段３の表面の中心より外側の下方のそれぞれにはピンチハンガー枠Ａを落下から防ぐために固定部受け７を設け、ピンチハンガー枠Ａを固定するために固定部受け７の延長上に固定部留め８が設けられている。固定部受け７、固定部留め８の形状はピンチハンガー枠Ａを落下から防ぐことができて簡単な操作で確実に固定することができればよく特に限定するものではない。
【００２１】
本発明のピンチハンガー用連結具の第二の実施例について、図７、図８、図９、図１０を用いて説明する。ピンチハンガー用連結具１−２は第一の実施例のピンチハンガー用連結具と異なり、固定手段本体を移動させるものではなく、連結部の長さを調節して固定手段本体の位置を変える構成になっている。ピンチハンガー用連結具１−２は連結部２ｄ−１、連結部２ｄ−２、吊り下げ部２ｄ−５で構成された吊り下げ連結部２ｄと、連結部２ｅ−１、連結部２ｅ−２、吊り下げ部２ｅ−５で構成された吊り下げ連結部２ｅの連結部２ｄ−１、連結部２ｅ−１に連結された上固定部３ｅと、連結部２ｄ−２、連結部２ｅ−２に連結された上固定部３ｆと、連結部１２ｄ−１、連結部１２ｄ−２、留め具１４で構成された吊り下げ連結部１２ｄに連結された下固定部３ｇと、連結部１２ｅ−１、連結部１２ｅ−２、留め具１４で構成された吊り下げ連結部１２ｅに連結された下固定部３ｈとで構成され、上固定部３ｅにはピンチハンガー枠Ａ１−２が取り付けられ、上固定部３ｆにはピンチハンガー枠Ａ１−１が取り付けられ、下固定部３ｇにはピンチハンガー枠Ａ２−２が取り付けられ、下固定部３ｈにはピンチハンガー枠Ａ２−１が取り付けられている。吊り下げ連結部２ｄは吊り下げ部２ｄ−５の一端に連結部２ｄ−１、連結部２ｄ−２の一端が接続され、連結部２ｄ−１のもう一方の一端が上固定部３ｅの一方の連結部穴１６に連結され、連結部２ｄ−２のもう一方の一端が上固定部３ｆの一方の連結部穴１６に連結され、吊り下げ連結部２ｅは吊り下げ部２ｅ−５の一端に連結部２ｅ−１、連結部２ｅ−２の一端が接続され、連結部２ｅ−１のもう一方の一端が上固定部３ｅのもう一方の連結部穴１６に連結され、連結部２ｅ−２のもう一方の一端が上固定部３ｆのもう一方の連結部穴１６に連結され、吊り下げ連結部１２ｄは連結部１２ｄ−１、連結部１２ｄ−２の一端に留め具１４を設け、連結部１２ｄ−１のもう一方の一端が下固定部３ｇの一方の連結部穴１６に連結され、連結部１２ｄ−２のもう一方の一端が下固定部３ｇのもう一方の連結部穴１６に連結され、吊り下げ連結部１２ｅは連結部１２ｅ−１、連結部１２ｅ−２の一端に留め具１４を設け、連結部１２ｅ−１のもう一方の一端が下固定部３ｈの一方の連結部穴１６に連結され、連結部１２ｅ−２のもう一方の一端が下固定部３ｈのもう一方の連結部穴１６に連結されている。
【００２２】
図９には固定手段１３の上固定部３ｅ、上固定部３ｆ、下固定部３ｇ、下固定部３ｈの構成が図示されている。固定手段１３の上部両端のそれぞれには連結部２ｄ−１、連結部２ｄ−２、連結部２ｅ−１、連結部２ｅ−２、連結部１２ｄ−１、連結部１２ｄ−２、連結部１２ｅ−１、連結部１２ｅ−２を固定手段１３に連結するために連結部穴１６を設け、留め具１４を設けた連結部１２を固定手段１３に通すために連結部穴１６のやや内側下部の固定手段１３の中心より外側の上部に結合部穴１５を設け、固定手段１３の表面の中心より外側の下方のそれぞれにはピンチハンガー枠Ａを落下から防ぐために固定部受け１７を設け、ピンチハンガー枠Ａを固定するために固定部受け１７の延長上に固定部留め１８が設けられている。固定部受け１７、固定部留め１８の形状はピンチハンガー枠Ａを落下から防ぐことができて簡単な操作で確実に固定することができればよく特に限定するものではない。また、固定手段１３は様々なピンチハンガー枠の形状に対応するために固定手段１３の中央部にはヒンジ凹部１９ａ、ヒンジ凸部１９ｂ、ヒンジ留め１９ｃで構成されたヒンジ部１９を設け、ヒンジ凹部１９ａとヒンジ凸部１９ｂはヒンジ留め１９ｃで結合されている。ヒンジ部１９の形状は様々なピンチハンガー枠の形状に対応できればよく特に限定するものではない。
【００２３】
図１０には連結部１２の長さの調節を図示している。固定手段１３に連結されていない方の連結部１２ｄ−１、連結部１２ｄ−２、連結部１２ｅ−１、連結部１２ｅ−２の端部に留め具１４を設け、連結部１２ｄ−１、連結部１２ｄ−２、連結部１２ｅ−１、連結部１２ｅ−２上に複数の留め具受け１１が設けられ、連結部１２を固定手段１３に通して好みの位置の留め具受け１１に留め具１４を通すことで長さの調節ができる構成にされている。
【００２４】
本発明のピンチハンガー用連結具の第三の実施例の円形のピンチハンガーのピンチハンガー用連結具について、図１１を用いて説明する。第一の実施例、第二の実施例では折畳み式円形のピンチハンガーを固定手段本体で固定する位置を折畳み部分にすることで均等な位置で固定することができて平衡を保つことができるが、折畳み式ではない円形のピンチハンガーには均等な位置に固定手段本体を固定することが困難なので固定手段本体を三か所に設けることで折畳み式ではない円形のピンチハンガーの平衡を保つことができるように構成されている。吊り下げ連結部２ｆは吊り下げ部２ｆ−７、連結部２ｆ−１、連結部２ｆ−２、連結部２ｆ−３、連結部２ｆ−４、連結部２ｆ−５、連結部２ｆ−６、留め具４で構成され、吊り下げ部２ｆ−７の一端に連結部２ｆ−１、連結部２ｆ−２、連結部２ｆ−３、連結部２ｆ−４、連結部２ｆ−５、連結部２ｆ−６の一端が接続され、連結部２ｆ−１、連結部２ｆ−２、連結部２ｆ−３、連結部２ｆ−４、連結部２ｆ−５、連結部２ｆ−６のもう一方の一端に留め具４が設けられている。連結部２ｆ−１、連結部２ｆ−２には上固定部３ｉ、下固定部３ｌが連結され、連結部２ｆ−３、連結部２ｆ−４には上固定部３ｊ、下固定部３ｍが連結され、連結部２ｆ−５、連結部２ｆ−６には上固定部３ｋ、下固定部３ｎが連結されている。上固定部３ｉ、上固定部３ｊ、上固定部３ｋは円形ピンチハンガー枠Ａ３−１にほぼ等間隔に取り付けられ、下固定部３ｌ、下固定部３ｍ、下固定部３ｎは円形ピンチハンガー枠Ａ３−２にほぼ等間隔に取り付けられている。
【００２５】
本発明のピンチハンガー用連結具の第四の実施例について、図１２、図１３、図１４を用いて説明する。第四の実施例は第一の実施例のピンチハンガー用連結具の安定した固定と強度を高めるための構成にされている。図１２のピンチハンガー用連結具１−３は、図１、図２、図３のＢの吊り下げ連結部２ａ、吊り下げ連結部２ｂを用いた構成で、連結部２ａ−１、連結部２ａ−２、吊り下げ部２ａ−５、留め具４で構成された吊り下げ連結部２ａと、連結部２ｂ−１、連結部２ｂ−２、吊り下げ部２ｂ−５、留め具４で構成された吊り下げ連結部２ｂと、上固定部２３ａ、上固定部２３ｂ、下固定部２３ｃ、下固定部２３ｄで構成されている。ピンチハンガー用連結具１−３は、連結部２ａ−１、連結部２ｂ−１に連結された上固定部２３ａにはピンチハンガー枠Ａ１−２が取り付けられ、連結部２ａ−２、連結部２ｂ−２に連結された上固定部２３ｂにはピンチハンガー枠Ａ１−１が取り付けられ、連結部２ａ−１、連結部２ｂ−１に連結された下固定部２３ｃにはピンチハンガー枠Ａ２−２が取り付けられ、連結部２ａ−２、連結部２ｂ−２に連結された下固定部２３ｄにはピンチハンガー枠２Ａ−１が取り付けられている。
【００２６】
図１３、図１４には固定手段２３の構成が図示されている。連結部２ａ−１、連結部２ａ−２、連結部２ｂ−１、連結部２ｂ−２を固定手段２３の表面に通すために固定手段２３の中心より外側の上部それぞれと、連結部２ａ−１、連結部２ａ−２、連結部２ｂ−１、連結部２ｂ−１を固定手段２３の裏面に通すために固定手段２３の中心より外側の下部それぞれに結合部穴２５が設けられている。表面片側の上部の結合部穴２５と下部の結合部穴２５の間と、もう一方の片側の上部の結合部穴２５と下部の結合部穴２５の間のそれぞれには連結部２ａ−１、連結部２ａ−２、連結部２ｂ−１、連結部２ｂ−２をずれないようにするためと、ピンチハンガーのハンガー枠Ａを安定して固定ができるように結合部溝２６が設けられている。結合部溝２６の深さは結合部溝２６に連結部２ａ−１、連結部２ａ−２、連結部２ｂ−１、連結部２ｂ−２を固定した時に、連結部２ａ−１、連結部２ａ−２、連結部２ｂ−１、連結部２ｂ−２の一部が突出する深さに設けられている。ピンチハンガーのハンガー枠Ａと固定手段２３の間に連結部２ａ−１、連結部２ａ−２、連結部２ｂ−１、連結部２ｂ−２が挟まれて固定手段２３を固定する構成である。結合部穴２５の形状は連結部２ａ−１、連結部２ａ−２、連結部２ｂ−１、連結部２ｂ−２を通すことができて、固定手段２３が場合によっては連結部２ａ−１、連結部２ａ−２、連結部２ｂ−１、連結部２ｂ−２を容易に移動しない構造であればよく特に限定するものではない。また、結合部溝２６の形状は連結部２ａ−１、連結部２ａ−２、連結部２ｂ−１、連結部２ｂ−２を安定させハンガー枠Ａの固定が容易にできる構成であればよく特に限定するものではない。また、固定手段２３の表面の中心より外側の下方のそれぞれにはピンチハンガー枠Ａを落下から防ぐために固定部受け２７を設け、ピンチハンガー枠Ａを固定するために固定部受け２７の延長上に固定部留め２８が設けられている。固定部受け２７、固定部留め２８の形状はピンチハンガー枠Ａを落下から防ぐことができて簡単な操作で確実に固定することができればよく特に限定するものではない。そして、固定手段２３は２つの異なる連結フレーム２９の構成により、ピンチハンガー枠を安定して固定できる構成となっている。一方の固定手段２３の上固定部２３ａ、下固定部２３ｃには下方から垂直に連結凸フレーム２９ｂに連結するためのフレーム受け２９ｃを備えた連結凹フレーム２９ａが設けられ、もう一方の固定手段２３の上固定部２３ｂ、下固定部２３ｄには下方から垂直に連結凹フレーム２９ａに連結するための連結凸フレーム２９ｂが設けられている。連結凹フレーム２９ａと連結凸フレーム２９ｂを連結させることで安定して固定できる。連結凹フレーム２９ａ、フレーム受け２９ｃ、連結凸フレーム２９ｂの形状は軽量で簡単な操作で確実にピンチハンガー枠の幅に調節ができ、ピンチハンガー用連結具１ー３の強度と安定を高める構成であればよく特に限定するものではない。
【００２７】
本発明のピンチハンガー用連結具の第五の実施例について、図１５、図１６、図１７を用いて説明する。第一の実施例、第三の実施例、第四の実施例では上下の固定手段の移動ができて用途によって固定手段の位置を決めることができるが吊り下げ連結部の長さを変えることができない。第二の実施例では下固定部の高さを変えることはできるが上固定部の高さは変えられない。第五の実施例の図１５の吊り下げ連結部２ｇは長さの調節ができるので第一の実施例、第二の実施例、第三の実施例、第四の実施例がさらに有効に使用できる。吊り下げ連結部２ｇは連結部２ｇ−１、連結部受け２ｇ−３、留め具２ｇ−４、吊り下げ部２ｇ−５、留め具受け２ｇ−１１で構成されている。
【００２８】
図１６には吊り下げ部が図示されている。吊り下げ部２ｇ−５の一端に連結部２ｇ−１を通す連結部受け２ｇ−３が設けられている。
【００２９】
図１７には連結部２ｇ−１が図示されている。連結部２ｇ−１の一方の端部に留め具２ｇ−４を設け連結部２ｇ−１上に複数の留め具受け２ｇ−１１が設けられ、留め具２ｇ−４を設けた連結部２ｇ−１を吊り下げ部２ｇ−５の一端に設けられた連結部受け２ｇ−３に通して好みの位置の留め具受け２ｇ−１１に留め具２ｇ−４を通すことで長さの調節ができる構成にされている。
【００３０】
吊り下げ連結部２ａ、吊り下げ連結部２ｂ、吊り下げ連結部２ｃ、吊り下げ連結部２ｄ、吊り下げ連結部２ｅ、吊り下げ連結部２ｆは吊り下げ部の一端に連結部の一端が接続されているが、吊り下げ部と連結部の接続方法を吊り下げ部２ｇの構成にすれば連結部の数が限定されないので固定手段３、固定手段１３、固定手段２３の数を限定することなく、どのような形状のピンチハンガー枠にも対応することができる。
【００３１】
固定手段３は、吊り下げ連結部２ａ、吊り下げ連結部２ｂ、吊り下げ連結部２ｃ、吊り下げ連結部２ｆ、吊り下げ連結部２ｇに共通して使用できる。また、固定手段２３は、吊り下げ連結部２ａ、吊り下げ連結部２ｂ、吊り下げ連結部２ｃ、吊り下げ連結部２ｇに共通して使用できる。固定手段３の結合部穴５、結合部溝６、ヒンジ部９、固定手段１３の結合部穴１５、連結部穴１６、ヒンジ部１９、固定手段２３の結合部穴２５、結合部溝２６の形状を変えることで、固定手段３、固定手段１３、固定手段２３は吊り下げ連結部２ａ、吊り下げ連結部２ｂ、吊り下げ連結部２ｃ、吊り下げ連結部２ｄ、連結部１２ｄ、吊り下げ連結部２ｅ、連結部１２ｅ、吊り下げ連結部２ｆ、吊り下げ連結部２ｇに共通して使用することが可能となる。
【００３２】
吊り下げ連結部２ａ、吊り下げ連結部２ｂ、吊り下げ連結部２ｃ、吊り下げ連結部２ｄ、吊り下げ連結部２ｅ、吊り下げ連結部２ｆ、吊り下げ連結部２ｇ、連結部１２、固定手段３、固定手段１３、固定手段２３、留め具４、留め具１４の素材はアルミ、強化プラスチックなどの軽量で強度がある素材であればよく特に限定するものではない。
【００３３】
吊り下げ連結部２ａ、吊り下げ連結部２ｂ、吊り下げ連結部２ｃ、吊り下げ連結部２ｆの形状は、ハンガー枠が効率よく活用できて、固定手段３、固定手段２３を簡単な操作で移動させることができて確実に固定させられ、軽量で強度があればよく特に限定するものではない。また、吊り下げ連結部２ｄ、吊り下げ連結部２ｅ、吊り下げ連結部１２ｄ、吊り下げ連結部１２ｅの形状は、吊り下げ連結部２ｄと吊り下げ連結部１２ｄ、吊り下げ連結部２ｅと吊り下げ連結部１２ｅが簡単な操作で確実に連結できて、ハンガー枠が効率よく活用できて、軽量で強度があればよく特に限定するものではない。そして、吊り下げ連結部２ｇの形状は、ハンガー枠が効率よく活用できて、固定手段３、固定手段２３を簡単な操作で移動させることができて確実に固定させられ、吊り下げ連結部２ｇの長さの調節が簡単な操作で確実にできて軽量で強度があればよく特に限定するものではない。
【００３４】
固定手段３、固定手段２３の形状は、軽量で強度があり、洗濯物を干す動作の妨げにならずに、簡単な操作で吊り下げ連結部２ａ、吊り下げ連結部２ｂ、吊り下げ連結部２ｃ、吊り下げ連結部２ｆ、吊り下げ連結部２ｇを移動できて確実に固定することができ、ハンガー枠を単純な操作で確実に固定できるものであればよく特に限定するものではない。固定手段１３の形状は、吊り下げ連結部２ｄの固定手段３ｅと連結部１２ｄ、吊り下げ連結部２ｅの固定手段３ｆと連結部１２ｅが単純な操作で確実に連結することができ、軽量で強度があり、洗濯物を干す動作の妨げにならずに、ハンガー枠を単純な操作で確実に固定できるものであればよく特に限定するものではない。
【符号の説明】
【００３５】
１            ピンチハンガー用連結具
１−２      ピンチハンガー用連結具
１−３      ピンチハンガー用連結具
２            吊り下げ手段
２ａ          吊り下げ連結部
２ａ−１     連結部
２ａ−２     連結部
２ａ−５     吊り下げ部
２ｂ           吊り下げ連結部
２ｂ−１     連結部
２ｂ−２     連結部
２ｂ−５     吊り下げ部
２ｃ          吊り下げ連結部
２ｃ−１     連結部
２ｃ−２     連結部
２ｃ−３     連結部
２ｃ−４     連結部
２ｃ−５     吊り下げ部
２ｄ          吊り下げ連結部
２ｄ−１     連結部
２ｄ−２     連結部
２ｄ−５     吊り下げ部
２ｅ          吊り下げ連結部
２ｅ−１     連結部
２ｅ−２     連結部
２ｅ−５     吊り下げ部
２ｆ           吊り下げ連結部
２ｆ−１     連結部
２ｆ−２      連結部
２ｆ−３     連結部
２ｆ−４     連結部
２ｆ−５     連結部
２ｆ−６     連結部
２ｆ−７     吊り下げ部
２ｇ          吊り下げ連結部
２ｇ−１    連結部
２ｇ−３    連結部受け
２ｇ−４    留め具
２ｇ−５    吊り下げ部
２ｇ−１１  留め具受け
３           固定手段
３ａ         上固定部
３ｂ         上固定部
３ｃ         下固定部
３ｄ         下固定部
１３         固定手段
３ｅ         上固定部
３ｆ          上固定部
３ｇ         下固定部
３ｈ         下固定部
３ｉ          上固定部
３ｊ          上 固定部
３ｋ         上固定部
３ｌ          下固定部
３ｍ        下固定部
３ｎ         下固定部
４           留め具
５           結合部穴
６           結合部溝
７           固定部受け
８           固定部留め
９           ヒンジ部
９ａ          ヒンジ凹部
９ｂ          ヒンジ凸部
９ｃ          ヒンジ留め
１１         留め具受け
１２         連結部
１２ｅ−１  連結部
１２ｅ−２  連結部
１２ｄ−１  連結部
１２ｄ−２  連結部
１３         固定手段
１４         留め具
１５         結合部穴
１６         連結部穴
１７         固定部受け
１８         固定部留め
１９         ヒンジ部
1９ａ        ヒンジ凹部
1９ｂ        ヒンジ凸部
1９ｃ        ヒンジ留め
２３         固定手段
２３ａ       上固定部
２３ｂ       上固定部
２３ｃ       下固定部
２３ｄ       下固定部
２５         結合部穴
２６         結合部溝
２７         固定部受け
２８         固定部留め
２９         連結フレーム
２９ａ       連結凹フレーム    
２９ｂ       連結凸フレーム
２９ｃ       フレーム受け      
Ａ           ハンガー枠                
Ａ１−１    ハンガー枠
Ａ１−２    ハンガー枠
Ａ２−１    ハンガー枠
Ａ２−２     ハンガー枠
Ａ３−１    ハンガー枠
Ａ３−２     ハンガー枠
Ｂ           吊り下げ連結部
Ｃ           吊り下げ連結部
【要約】
【課題】吊り下げ部であるフックが壊れたピンチハンガーを洗濯物干しとして再度有効に利用できるようにする物を開発すること。
【解決手段】ピンチハンガーを吊り下げるためのピンチハンガー用連結具であって、複数のハンガー固定手段と、吊り下げ手段とからなり、ハンガー固定手段はピンチハンガーの枠に取り付けるものであって、固定手段本体と、ピンチハンガーの枠を固定するための固定部と、吊り下げ手段の連結部に対してハンガー固定手段を移動調整できるように構成した結合部とからなり、吊り下げ手段は、物干しざお等に吊り下げるための吊り下げ部と、吊り下げ部に連結された複数の連結部とからなり、各ハンガー固定手段がその結合部を介して吊り下げ手段のそれぞれの連結部に取り付けられ、ハンガー固定手段が連結部を移動調整できるようにしたことにより、再度洗濯物干しとして有効に利用することができる。
【選択図】図１【図１】
0005620568.tif 000002
【図２】
0005620568.tif 000003
【図３】
0005620568.tif 000004
【図４】
0005620568.tif 000005
【図５】
0005620568.tif 000006
【図６】
0005620568.tif 000007
【図７】
0005620568.tif 000008
【図８】
0005620568.tif 000009
【図９】
0005620568.tif 000010
【図１０】
0005620568.tif 000011
【図１１】
0005620568.tif 000012
【図１２】
0005620568.tif 000013
【図１３】
0005620568.tif 000014
【図１４】
0005620568.tif 000015
【図１５】
0005620568.tif 000016
【図１６】
0005620568.tif 000017
【図１７】
0005620568.tif 000018